(57)【要約】【課題】軸筒に収容する前におけるインキ色の識別が容易となる多芯筆記具用レフィルを提供する。【解決手段】多芯筆記具用レフィルは、使用時に軸筒６内に複数本収容され、操作体４を前方にスライド操作することにより軸筒６の前端からペン先を出没させる。軸筒６内に収容される前の状態において、前端にボールが回転可能に抱持されたボールペンチップ１（ペン先）と、該ボールペンチップ１が前端に固着され且つ内部にインキが収容されたインキ収容管３と、該インキ収容管３の後端に連結され且つインキ収容管３内のインキの色に着色された操作体４（インキ色表示部）とからなる。透明材料からなる包装袋５に収容される。包装袋５の一端に吊下孔５１を備えたヘッダー部を設ける。ヘッダー部の表面に、インキ収容管３内のインキの色に着色した着色部５２を設ける。【選択図】  図３
2011178174.tif 000002
【特許請求の範囲】
【請求項１】
使用時に軸筒内に複数本が収容され、各々の後端に連結した操作体を軸筒の側壁より突出させ、前記操作体を前方にスライド操作することにより軸筒の前端からペン先を出没させる多芯筆記具用レフィルであって、軸筒内に収容される前の状態において、前端にボールが回転可能に抱持されたボールペンチップと、該ボールペンチップが前端に固着され且つ内部にインキが収容されたインキ収容管と、該インキ収容管の後端に連結され且つインキ収容管内のインキの色に着色された操作体とからなり、透明材料からなる包装袋に収容され、前記包装袋の一端に吊下孔を備えたヘッダー部を設け、前記ヘッダー部の表面に、前記インキ収容管内のインキの色に着色した着色部を設けたことを特徴とする多芯筆記具用レフィル。
【請求項２】
前記操作体が、小径部と該小径部より径方向寸法の大きい大径部とを備える請求項１記載の多芯筆記具用レフィル。
【請求項３】
前記操作体が、インキ収容管の外径より径方向寸法の大きい大径部を備える請求項１または２記載の多芯筆記具用レフィル。
【請求項４】
前記大径部が両面に平面部を備えた板状である請求項２または３記載の多芯筆記具用レフィル。
【請求項５】
前記大径部が操作体の後部に設けられる請求項２、３または４記載の多芯筆記具用レフィル。
【請求項６】
前記操作体の面積が最も大きく視認される状態において、前記操作体の視認面積がインキ収容管の視認面積の１０％以上に設定される請求項１乃至５のいずれかに記載の多芯筆記具用レフィル。
【請求項７】
前記包装袋に収容された状態において、前記操作体の最大視認面積を包装袋の外部正面から視認可能である請求項１乃至６のいずれかに記載の多芯筆記具用レフィル。
【請求項８】
前記操作体がインキ収容管の外径より径方向寸法の大きい大径部を備え、前記大径部が両面に平面部を備えた板状であり、前記包装袋に収容された状態において、前記操作体の大径部の平面部が包装袋の外部正面から視認可能である請求項１乃至７のいずれかに記載の多芯筆記具用レフィル。
【請求項９】
前記包装袋に収容された状態において、前記吊下孔側に操作体が配置される請求項１乃至８のいずれかに記載の多芯筆記具用レフィル。
【請求項１０】
前記包装袋に収容された状態において、前記吊下孔側にボールペンチップが配置される請求項１乃至８のいずれかに記載の多芯筆記具用レフィル。
【請求項１１】
前記インキ収容管が透明または半透明の材料により構成され、前記インキ収容管内に収容されるインキが染料インキである請求項１乃至１０のいずれかに記載の多芯筆記具用レフィル。
【請求項１２】
前記ボールペンチップの前端にペン先乾燥防止用の被覆樹脂が固着されてなる請求項１乃至１１のいずれかに記載の多芯筆記具用レフィル。
【発明の詳細な説明】
【技術分野】
【０００１】
本発明は、多芯筆記具用レフィルに関する。詳細には、使用時に軸筒内に複数本が収容され、各々の後端に連結した操作体を軸筒の側壁より突出させ、前記操作体を前方にスライド操作することにより軸筒の前端からペン先を出没させる多芯筆記具用レフィルに関する。
【背景技術】
【０００２】
従来、多芯筆記具用レフィルは交換可能であることが知られている（例えば、特許文献１）。
【先行技術文献】
【特許文献】
【０００３】
【特許文献１】特開２００３−１１５８３号公報
【発明の概要】
【発明が解決しようとする課題】
【０００４】
前記従来の多芯筆記具用レフィルは、軸筒内に収容する前の状態（即ち軸筒の外部に存在する状態）において、後端には操作体は連結されておらず、インキ色の識別は、ペン先またはペン先保持部材のインキ色に着色された部分により行われる。前記ペン先またはペン先保持部材のインキ色に着色された部分は、比較的小さいため、確実なインキ色の識別がなし得ないおそれがある。そのため、前記従来の多芯筆記具用レフィルは、ユーザーがレフィルを店頭で購入する時またはユーザーが新たなレフィルを軸筒内に収容する時、所望するインキ色と異なるレフィルを選択してしまうおそれがある。
【０００５】
本発明は、前記従来の問題点を解決するものであって、軸筒に収容する前におけるインキ色の識別が容易となる多芯筆記具用レフィルを提供しようとするものである。尚、本発明において、「前」とはペン先側を指し、「後」とは反対側を指す。また、本発明において、インキ色とは、インキ収容管内に収容されるインキの色をいう。
【課題を解決するための手段】
【０００６】
[１]本発明は、使用時に軸筒６内に複数本収容され、各々の後端に連結した操作体４を軸筒６の側壁より突出させ、前記操作体４を前方にスライド操作することにより軸筒６の前端からペン先を出没させる多芯筆記具用レフィルであって、軸筒６内に収容される前の状態において、前端にボールが回転可能に抱持されたボールペンチップ２（ペン先）と、該ボールペンチップ２が前端に固着され且つ内部にインキが収容されたインキ収容管３と、該インキ収容管３の後端に連結され且つインキ収容管３内のインキの色に着色された操作体４（インキ色表示部）とからなり、透明材料からなる包装袋５に収容され、前記包装袋５の一端に吊下孔５１を備えたヘッダー部を設け、前記ヘッダー部の表面に、前記インキ収容管３内のインキの色に着色した着色部５２を設けたこと（請求項１）を要件とする。
【０００７】
前記多芯筆記具用レフィル１（請求項１）は、軸方向後方に比較的大きく突出された操作体４（即ちインキ色表示部）を、外部より視認することによって、インキ収容管３内のインキの色の識別が容易となり、比較的離れた位置からでも識別が可能となる。その結果、ユーザーが、多芯筆記具用レフィル１を店頭で購入する時、新たな多芯筆記具用レフィル１を軸筒６内に収容する時のいずれの場合でも、所望するインキ色と異なる多芯筆記具用レフィル１を選択してしまうおそれがない。前記多芯筆記具用レフィル１（請求項１）は、透明材料からなる包装袋５に収容されてなることにより、インキ色に着色された操作体４を容易に視認できるとともに、ユーザーが購入する前までに操作体４がインキ収容管３から外れることを防止できる。前記多芯筆記具用レフィル１（請求項１）は、前記吊下孔５１近傍の包装袋５表面の着色部５２と、インキ色に着色された操作体４とを同時に視認できるため、インキ色の識別が、一層、容易となり、比較的離れた位置からでもインキ色の識別が可能となる。尚、前記吊下孔５１は、切り欠き状またはフック状に形成することもできる。
【０００８】
［２］前記多芯筆記具用レフィル１において、前記操作体４が、小径部４２と該小径部４２より径方向寸法の大きい大径部４１とを備えること（請求項２）が好ましい。
【０００９】
前記多芯筆記具用レフィル１（請求項２）は、前記大径部４１に大面積のインキ色表示部を構成でき、インキ色の識別が一層容易となる。また、前記多芯筆記具用レフィル１（請求項２）は、インキ収容管３と操作体４とが連結状態で、ユーザーが、軸筒６内から取り出す際及び軸筒６内に挿入する際、操作体４の大径部４１を摘みやすく、便利である。尚、前記大径部４１は、少なくとも操作体４の１箇所に設ければよいが、操作体４の複数箇所に設けることもできる。
【００１０】
［３］前記多芯筆記具用レフィル１において、前記操作体４が、インキ収容管３の外径より径方向寸法の大きい大径部４１を備えること（請求項３）が好ましい。
【００１１】
前記多芯筆記具用レフィル１（請求項３）は、前記大径部４１に大面積のインキ色表示部を構成でき、インキ色の識別が一層容易となる。また、前記多芯筆記具用レフィル１（請求項３）は、インキ収容管３と操作体４とが連結状態で、ユーザーが、軸筒６内から取り出す際及び軸筒６内に挿入する際、操作体４の大径部４１を摘みやすく、便利である。尚、前記大径部４１は、少なくとも操作体４の１箇所に設ければよいが、操作体４の複数箇所に設けることが、一層、大面積のインキ色表示部が得られる点で好ましい。
【００１２】
［４］前記多芯筆記具用レフィル１において、前記大径部４１が両面に平面部４１ａを備えた板状であること（請求項４）が好ましい。
【００１３】
前記多芯筆記具用レフィル１（請求項４）は、前記平面部４１ａが大面積のインキ色表示部となり、大面積のインキ色表示部を効率よく形成できる。また、前記多芯筆記具用レフィル１（請求項４）は、複数本を束ねたときに、操作体４同士が接触して後端部が膨らむことがなく、取り扱いが容易となる。尚、前記大径部４１は、全体として板状であるならば、前記平面部４１ａに僅かな突起や段差部を備えてもよい。
【００１４】
［５］前記多芯筆記具用レフィル１において、前記大径部４１が操作体４の後部に設けられること（請求項５）が好ましい。
【００１５】
前記多芯筆記具用レフィル１（請求項５）は、大径部４１がインキ収容管３の後端より後方に突出する旗竿に取り付けた旗のように視覚でき、操作体４（インキ色表示部）の外観性が向上する。また、前記多芯筆記具用レフィル１（請求項５）は、大径部４１が操作体４の後部に形成されるため、インキ収容管３と操作体４とが連結状態で、ユーザーが、軸筒６内から取り出す際及び軸筒６内に挿入する際、操作体４の大径部４１を、一層、摘みやすく便利である。
【００１６】
［６］前記多芯筆記具用レフィル１において、前記操作体４の面積が最も大きく視認される状態において、前記操作体４の視認面積がインキ収容管３の視認面積の１０％以上に設定されること（請求項６）が好ましい。
【００１７】
前記多芯筆記具用レフィル１（請求項６）は、より一層、インキ色の識別が確実となる。もし、操作体４の視認面積が、インキ収容管３の視認面積の１０％未満の場合、操作体４によるインキ色の識別が困難となる。尚、前記視認面積とは、一定の方向から多芯筆記具用レフィル１を視認したときの面積をいう。
【００１８】
［７］前記多芯筆記具用レフィル１において、前記包装袋５に収容された状態で、前記操作体４の最大視認面積を包装袋５の外部正面から視認可能であること（請求項７）が好ましい。
【００１９】
前記多芯筆記具用レフィル１（請求項７）は、包装袋５に収容された状態において、操作体４の最大視認面積が包装袋５の外部正面から視認可能であることにより、操作体４が収容された部分の包装袋５の厚みが増加するおそれがなく、限られた保管スペースに多芯筆記具用レフィル１が入った多数の包装袋５を重ねた状態で保管することができる。
【００２０】
［８］前記多芯筆記具用レフィル１において、前記操作体４がインキ収容管３の外径より径方向寸法の大きい大径部４１を備え、前記大径部４１が両面に平面部４１ａを備えた板状であり、前記包装袋５に収容された状態において、前記操作体４の大径部４１の平面部４１ａ（最大視認面積）が包装袋５の外部正面より視認可能であること（請求項８）が好ましい。
【００２１】
前記多芯筆記具用レフィル１（請求項８）は、包装袋５に収容された状態において、前記操作体４の大径部４１の平面部４１ａ（最大視認面積）が包装袋５の外部正面から視認可能であることより、操作体４が収容された部分の包装袋５の厚みが増加するおそれがなく、限られた保管スペースに多芯筆記具用レフィル１が入った多数の包装袋５を重ねた状態で保管することができる。
【００２２】
［９］前記多芯筆記具用レフィル１において、前記レフィル１が包装袋５に収容された状態において、前記吊下孔５１側に操作体４が配置されること（請求項９）が好ましい。
【００２３】
前記多芯筆記具用レフィル１（請求項９）は、包装袋５が吊り下げ状態の際、ボールペンチップ２（ペン先）が下向きになり、インキ収容管３内のインキの後退を防止できる。また、操作体４が上方に位置されるため、ユーザーが、購入時、操作体４のインキ色表示を識別しながら包装袋５を取り外すことが容易となる。
【００２４】
［１０］前記多芯筆記具用レフィル１において、前記レフィル１が包装袋５に収容された状態において、前記吊下孔５１側にボールペンチプ２が配置されること（請求項１０）が好ましい。
【００２５】
前記多芯筆記具用レフィル１（請求項１０）は、包装袋５が吊り下げ状態の際、ボールペンチップ２（ペン先）が上向きになり、ボールペンチップ２の先端からインキが漏出するおそれがない。
【００２６】
［１１］前記多芯筆記具用レフィル１において、前記インキ収容管３が透明または半透明の材料により構成され、前記インキ収容管３内に収容されるインキが染料インキであること（請求項１１）が好ましい。
【００２７】
前記多芯筆記具用レフィル１（請求項１１）は、インキ収容管３内に収容のインキが染料インキ（着色剤として染料を含有するインキ）であるため、顔料インキの場合に比べ、インキ収容管３を視認してもインキ色を識別することが容易でないが、それによって、かえって、インキ色に着色された操作体４が、色彩的なアクセントとして際立ち、レフィル全体の外観性が向上する。前記染料インキは、水性インキ、油性インキのいずれであってもよい。
【００２８】
［１２］前記多芯筆記具用レフィル１において、前記ボールペンチップ２の前端にペン先乾燥防止用の被覆樹脂２１が固着されてなること（請求項１２）が好ましい。
【００２９】
前記多芯筆記具用レフィル１（請求項１２）は、ボールペンチップ２の前端にペン先乾燥防止用の被覆樹脂２１が固着されてなることにより、操作体４の連結された状態でユーザーが筆記使用開始するまで、ペン先の乾燥を防止し、適正に保管することができる。特に、前記多芯筆記具用レフィル１（請求項１２）は、蒸発が生じやすい水性インキの場合に有効である。
【発明の効果】
【００３０】
請求項１によれば、インキ色の識別が容易となり、比較的離れた位置からでも識別が可能となる。その結果、ユーザーが所望するインキ色と異なるレフィルを選択してしまうおそれがない。請求項１によれば、インキ色に着色された操作体を容易に視認できるとともに、ユーザーが購入する前までに操作体がインキ収容管から外れることを防止できる。
【００３１】
請求項２によれば、大径部に大面積のインキ色表示部を構成でき、インキ色の識別が一層容易となる。
【００３２】
請求項３によれば、大径部に大面積のインキ色表示部を構成でき、インキ色の識別が一層容易となる。
【００３３】
請求項４によれば、大面積のインキ色表示部を効率よく形成できる。
【００３４】
請求項５によれば、操作体の外観性が向上する。
【００３５】
請求項６によれば、より一層、インキ色の識別が確実となる。
【００３６】
請求項７によれば、操作体が収容された部分の包装袋の厚みが増加するおそれがなく、限られた保管スペースに多芯筆記具用レフィルが入った多数の包装袋を重ねた状態で保管することができる。
【００３７】
請求項８によれば、操作体が収容された部分の包装袋の厚みが増加するおそれがなく、限られた保管スペースに多芯筆記具用レフィルが入った多数の包装袋を重ねた状態で保管することができる。
【００３８】
請求項９によれば、包装袋が吊り下げ状態の際、ペン先が下向きになり、インキ収容管内のインキの後退を防ぐとともに、操作体が上方に位置され、ユーザーが、購入時、操作体のインキ色表示を識別しながら、包装袋を取り外すことが容易となる。
【００３９】
請求項１０によれば、包装袋が吊り下げ状態の際、ペン先が上向きになり、ボールペンチップの先端からのインキの漏出を防ぐことができる。
【００４０】
請求項１１によれば、インキ色に着色された操作体が、色彩的なアクセントとして際立ち、レフィル全体の外観性が向上する。
【００４１】
請求項１２によれば、操作体が連結された状態で、ユーザーが筆記使用開始するまで、ペン先の乾燥を防止し、適正に保管することができる。
【図面の簡単な説明】
【００４２】
【図１】本発明の多芯筆記具用レフィルの正面図である。
【図２】図１の右側面図である。
【図３】図１の多芯筆記具用レフィルを包装袋に収容した状態の正面図である。
【図４】図１の多芯筆記具用レフィルを包装袋に収容した状態の正面図である。
【図５】図１の多芯筆記具用レフィルを複数本収容した多芯筆記具の全ペン先没入状態（非筆記時）を示す縦断面図である。
【図６】図５の多芯筆記具の後端を開口した状態を示す側面図である。
【発明を実施するための形態】
【００４３】
図１乃至図６に本発明の実施の形態を示す。
図1及び図２に示すように、本実施の形態の多芯筆記具用レフィル１は、主に、ボールペンチップ２と、インキ収容管３と、操作体４とからなる。
【００４４】
（ボールペンチップ）
前記ボールペンチップ２は、前端に回転可能にボールが抱持される。前記ボールペンチップ２は、金属製細管の先端に内方への押圧変形によりボール受け座を形成するタイプ、または、金属製本体の先端の内面に切削加工によりボール受け座を形成するタイプのいずれであってもよい。
【００４５】
前記ボールペンチップ２の前端には、ペン先乾燥防止用の被覆樹脂が固着されている。前記被覆樹脂は、筆記使用開始時にはユーザーによって取り除かれる。
【００４６】
また、前記ボールペンチップ２は、前端に回転可能に抱持されたボールを弾発体等により前方に付勢し、前端縁部の内面にボールを密接させる構成でもよい。また、前記ボールペンチップ２は、インキ収容管３の前端開口部に圧入等により直接、取り付けてもよいが、本実施の形態では合成樹脂製のペン先保持部材２２を介してインキ収容管３の前端開口部に固着される。前記ペン先保持部材２２は、インキ色に着色された合成樹脂の成形体により得られる。
【００４７】
（操作体）
前記インキ収容管３の後端開口部には、操作体４が取り付けられる。前記操作体４は、操作部４３と、前側突出部４４と、後側突出部４５と、嵌入部４６と、鍔部４７とを備える。前記操作部４３は、後端部に形成され且つ軸筒６の窓孔８１から外部に突出される。前記後側突出部４５は、前記操作部４３の反対側に設けられる。前記前側突出部４４は、前記操作部４３の反対側の後側突出部４５の前方に設けられる。前記嵌入部４６は、操作体４の前端部に形成され且つインキ収容管３の後端開口部に嵌入される。前記鍔部４７は、前記嵌入部４６の後方に形成される。
【００４８】
前記嵌入部４６は、インキ収容管３の後端開口部に嵌入された際、インキ収容管３の後端開口部を完全には塞がず、インキ収容管３の内部と外部とを通気可能にする。また、前記鍔部４７の前面には、弾発体１０の後端が係止される。
【００４９】
（大径部）
本実施の形態では、前記操作部４３と前側突出部４４と後側突出部４５とにより、一つの大径部４１が構成される。前記大径部４１の径方向寸法Ａは、インキ収容管３の外径Ｂより大きく設定される。具体的には、前記大径部４１の径方向寸法Ａは、インキ収容管３の外径Ｂの２倍以上に設定されることが好ましい。前記大径部４１は、両面（即ち表面と裏面）に平面部４１ａを備える板状に形成される。前記板状の大径部４１は、インキ収容管３の外径と略等しい厚み寸法を有する。また、前記操作体４の両方の側壁（大径部４３の平面部４１ａ）には抜け止め突起（図示せず）が形成される。前記抜け止め突起は窓孔８１の両方の側壁内面に係合可能である。
【００５０】
また、鍔部４７と大径部４１の間（即ち鍔部４７の後方且つ大径部４１の前方）には、大径部４１より径方向寸法の小さい小径部４２が形成される。また、前記小径部４２は、インキ収容管３の外径Ｂより小さい径方向寸法を有する。それにより、操作体４を視認した際、大径部４１をより一層目立たせることができ、大径部４１と小径部４２とが、旗と旗竿のように視覚され、インキ色表示部としての操作体４の外観性が向上する。
【００５１】
前記操作体４は、連結されるインキ収容管３の内部に収容されたインキの色と略同じ色に着色される。具体的には、前記操作体４は、連結されるインキ収容管３内のインキの色と略同じ色に着色された合成樹脂の成形体からなる。それにより、前記操作体４は、インキ色表示部となる。例えば、前記操作体４は、内部に黒色インキが収容されたインキ収容管３に連結する操作体４は黒色に着色され、内部に青色インキが収容されたインキ収容管３に連結する操作体４は青色に着色され、内部に赤色インキが収容されたインキ収容管３に連結する操作体４は赤色に着色され、内部に緑色インキが収容されたインキ収容管３に連結する操作体４は緑色に着色される。
【００５２】
（インキ収容管）
インキ収容管３は、透明または半透明の合成樹脂の押出成形により得られ、両端が開口された直円筒体からなる。前記インキ収容管３の内部には、剪断減粘性を有する水性の染料インキが収容され、前記インキの後端には、インキの消費に伴って前進する高粘度流体からなる追従体が充填される。
【００５３】
（視認面積）
本実施の形態では、操作体４の面積が最も大きく視認される状態は、前記大径部４１の平面部４１ａを視認する場合（図1の状態）である。前記図1の状態において、操作体４の視認面積は、インキ収容管３の視認面積の３８％に設定されている。
【００５４】
（包装袋）
図３及び図４に、図1及び図２の多芯筆記具用レフィル１を包装袋５に収容した状態を示す。多芯筆記具用レフィル１は、透明材料（透明プラスチックフィルム）よりなる長方形形状の包装袋５の内部に収容される。前記一つの包装袋５に対して、1本の多芯筆記具用レフィル１が収容され、それにより、ユーザーが好みのインキ色のレフィルを自由に組合せて多芯筆記具として使用できる。
【００５５】
前記包装袋５は、一端に吊下孔５１が形成される。前記吊下孔５１の周囲の包装袋５表面（即ち吊下孔５１を備えたヘッダー部）には、印刷により、内部に収容した多芯筆記具用レフィル１のインキ色に着色された着色部５２が設けられる。
【００５６】
図３に示すように、前記多芯筆記具用レフィル１を包装袋５内に収容した状態において、操作体４は吊下孔５１側に位置され、一方、ボールペンチップ２はその吊下孔５１側と反対側に位置される。そのため、包装袋５を吊り下げ状態にすると、ボールペンチップ２側が下向きになり、上側に操作体４が位置することになる。
【００５７】
図４に示すように、前記多芯筆記具用レフィル１を包装袋５内に収容した状態において、ボールペンチップ２は吊下孔５１側に位置され、一方、操作体４はその吊下孔５１側と反対側に位置される。そのため、包装袋５を吊り下げ状態にすると、ボールペンチップ２側が上向きになり、下側に操作体４が位置することになる。その結果、ボールペンチップ２の先端からインキが漏出するおそれがない。また、図４の場合、包装袋５の吊下孔５１と反対側の端部がボールペンチップ２の先端によって損傷するおそれがない。また、図４の場合、包装袋５の吊下孔５１と反対側の端部に開閉口を設けることにより、包装袋５に開閉口を通してレフィルを出し入れする際、操作体４から容易に出し入れでき、ボールペンチップ２先端の損傷を防ぐことができる。
【００５８】
前記多芯筆記具用レフィル１を包装袋５内に収容した状態において、操作体４の板状の大径部４１の平面部４１ａ（最大視認面積）は、包装袋５の外部正面から視認される向きに配置される。それにより、操作体４が収容された部分の包装袋５の厚みが増加するおそれがなく、限られた保管スペースに多芯筆記具用レフィル１が入った多数の包装袋５を重ねた状態で保管することができる。
【００５９】
また、前記吊り下げ陳列状態にある多芯筆記具用レフィル１入り包装袋５をユーザーが購入する際、インキ色に着色された操作体４及び着色部５２を同時に視認でき、インキ色の識別が、比較的離れた位置からでも可能となる。
【００６０】
図５に、本実施の形態の多芯筆記具用レフィル１を多芯筆記具の軸筒６内に収容した状態を示す。
【００６１】
多芯筆記具は、軸筒６内に複数本（具体的には２本）のインキ色の互いに異なる多芯筆記具用レフィル１が前後方向に移動可能に収容されている。前記各々の多芯筆記具用レフィル１は、弾発体１０（具体的には圧縮コイルスプリング）により、後方に付勢されている。
【００６２】
前記軸筒６は、先細状の円筒体からなる前軸７と、該前軸７の後端部と螺合または圧入により取り付けられる円筒状の後軸８とからなる。前記前軸７の前端には、レフィル１のボールペンチップ２が突出可能な前端孔７１が軸方向に貫設される。前記前軸７及び後軸８は、合成樹脂（例えば、ポリカーボネイト等）の射出成形により得られる。
【００６３】
前記後軸８の後部の側壁には、複数本（具体的には２本）の前後方向に延びる細長状の窓孔８１が、径方向に貫設される。前記２本の窓孔８１は、互いに、軸線に対して対称の位置に形成される。また、前記後軸８の後端部には、軸方向に貫通し且つ径方向外方に開口する開口部８２が形成される。前記開口部８２は、後軸８の後端（即ち軸筒６の後端）において窓孔８１と連通され、それにより、窓孔８１後端が後方に切り欠かれ、後方に開口されている。一方、前記窓孔８１の前端は常時閉鎖されている。前記各々の窓孔８１から径方向外方に各々の操作体４の操作部４３が突出される。
【００６４】
また、前記後軸８の窓孔８１の相互間の側壁内面には、前後方向に延びるリブよりなる係止壁部が形成され、前記係止壁部に、ペン先が突出した際の多芯筆記具用レフィル１の操作体４の後端が係止される。
【００６５】
前記後軸８の窓孔８１の相互間の側壁外面には、クリップ８３が設けられる。
【００６６】
前記後軸８の後端部には、前記開口部８２を開閉自在にする蓋部９が回動自在に設けられる。前記蓋部９の一端部は、クリップ基部に、ヒンジ部９２により回動自在に接続される。前記ヒンジ部９２は、ペン先下向きでクリップ８３を正面視したときのクリップ８３の左右方向に延設され、それにより、前記蓋部９は、略前後方向に回動自在となる。前記蓋部９の前面には、当接壁部９１が形成される。前記当接壁部９１に、没入状態の多芯筆記具用レフィル１の後端に連結された各々の操作体４の後端が、衝止される。本実施の形態では、前記ヒンジ部９２は、具体的には、回動軸により回動自在に接続される構成が採用されているが、これ以外にも、屈曲変形可能な可撓性を有する連結部または薄肉部により一体に接続される構成であってもよい。
【００６７】
前記蓋部９の他端部の前面には、係合部９３が設けられる（具体的には係合凹部または係合孔部が形成される）。後軸８の後端には、前記係合部９３と係合可能な被係合部８４が設けられる（具体的には係合凸部が突設される）。前記係合部９３（係合凹部または係合孔部）の内面には、内向突起が形成され、一方、前記被係合部８４（係合凸部）の外面には、前記内向突起と乗り越え係止可能な外向突起が形成される。
【００６８】
前記係合部９３と前記被係合部８４とは、蓋部９が開口部８２を閉鎖した際、互いに係合状態にあり（具体的には内向突起と外向突起が乗り越え係止状態にあり）、弾発体１０の後方への付勢による操作体４と蓋部９前面の当接壁部９１との当接では、その係合状態は解除されず、蓋部９が開くことはない。
【００６９】
また、前記係合部９３と被係合部８４の構成以外にも、前記係合部９３が係合凸部よりなり、前記被係合部８４が係合凹部または係合孔部からなる構成でもよい。
【００７０】
レフィル１のペン先が没入状態のとき、そのレフィル１の後端に有する操作体４の後端部は、蓋部９の前面に形成された当接壁部９１に衝止される。一方、レフィル１のペン先が突出状態のとき、そのレフィル１の後端に有する操作体４の後端部は、軸筒６の内壁に形成された係止壁部に係止される。
【００７１】
ペン先没入状態にある多芯筆記具用レフィル１の後端に有する操作体４の前側突出部４４は、その操作体４の操作部４３を前方にスライド操作した際、先に突出状態にある他の多芯筆記具用レフィル１の後端に連結された操作体４の後側突出部４５と当接され、他の多芯筆記具用レフィル１のペン先突出状態が解除される。
【００７２】
（弾発体支持部）
軸筒６の内壁（即ち後軸８の内壁）には、円筒状の弾発体支持部１１が設けられる。前記弾発体支持部１１は、多芯筆記具用レフィル１のインキ収容管３が挿通される複数（具体的には２個）の内孔１１１が軸方向に貫設されている。前記弾発体支持部１１の後面と、各々の操作体４の鍔部４７の前面との間には、弾発体１０が配置される。前記各々の弾発体１０の内部に多芯筆記具用レフィル１のインキ収容管３が遊挿されるとともに、各々の弾発体１０の前端は弾発体支持部１１の後面により係止され、各々の弾発体１０の後端は操作体４７の鍔部４７の前面に係止される。
【００７３】
また、弾発体支持部１１の後面の各々の内孔１１１の周囲には、周状壁部よりなる保持部１１２が形成される。前記各々の保持部１１２の内面は、各々の弾発体１０の前端部外面が圧入保持される。それにより、各々の多芯筆記具用レフィル１を交換する際、軸筒６内から開口部８２を通して各々の弾発体１０が脱落することを防止できる。
【００７４】
前記各々の弾発体１０は、各々の操作体４（即ち各々の多芯筆記具用レフィル１）を、常時、後方に付勢している。前記各々の弾発体１０は、ペン先突出状態及びペン先没入状態のいずれにおいても圧縮状態（即ち多芯筆記具用レフィル１が後方に付勢された状態）にあり、それにより、各々の操作体４の前後のがたつきが防止される。
【００７５】
（レフィルの交換）
本実施の形態における多芯筆記具用レフィル（図1及び図２参照）の交換について説明する。多芯筆記具用レフィル１を交換する際、蓋部９が軸筒６の後端の開口部８２を閉鎖した状態から、蓋部９のヒンジ部９２と反対側の操作端部を後方に押圧し、係合部９３と被係合部８４との係合を解除し、蓋部９を後方に回動させ、軸筒６の後端の開口部８２を開口する（図６参照）。前記開口部８２を開口させると、前記開口部８２から各々の操作体４が、弾発体１０の後方付勢により後方外部に突出される。前記軸筒６２の後端の開口部８２が開口した状態（図６の状態）で、操作体４を取り出すことにより、多芯筆記具用レフィル１を、前記開口部８２を通して軸筒６内から取り出し、その後、互いに連結状態にある新たな多芯筆記具用レフィル１を、前記開口部８２を通して軸筒６内に挿入する。そして、蓋部９の当接壁部９１に各々の操作体４を当接させ、各々の操作体４を前方に押圧しながら蓋部９を前方に回動させ、その後、係合部９３と被係合部８４とを係合させ、開口部８２を閉鎖する。これにより、多芯筆記具用レフィル１の交換作業が終了する。
【符号の説明】
【００７６】
１  多芯筆記具用レフィル
２  ボールペンチップ（ペン先）
２１  被覆樹脂
２２  ペン先保持部材
３  インキ収容管
４  操作体
４１  大径部
４１ａ  平面部
４２  小径部
４３  操作部
４４  前側突出部
４５  後側突出部
４６  嵌入部
４７  鍔部
５  包装袋
５１  吊下孔
５２  着色部
６  軸筒
７  前軸
７１  前端孔
８  後軸
８１  窓孔
８２  開口部
８３  クリップ
８４  被係合部
９  蓋部
９１  当接壁部
９２  ヒンジ部
９３  係合部
１０  弾発体
１１  弾発体支持部
１１１  内孔
１１２  保持部
【図１】
2011178174.tif 000003
【図２】
2011178174.tif 000004
【図３】
2011178174.tif 000005
【図４】
2011178174.tif 000006
【図５】
2011178174.tif 000007
【図６】
2011178174.tif 000008